(57)【特許請求の範囲】
【請求項１】
自動販売機と、自動販売機に対して設けられた抽選器と、景品払い出し制御ユニットとを備えた景品提供装置であって、自動販売機は、通常は有料販売される商品を景品として無料提供することが可能なものであり、
自動販売機は、
筐体と、
筐体内に設けられた商品収容部及び商品払い出し機構と、
筐体設けられた商品取り出し口と、
複数の商品選択ボタンと、
金銭投入部と
を備えており、
自動販売機の筐体内には、商品選択ボタンで選択された商品と金銭投入部から投入された金銭とに従って商品払い出し機構を制御する自販機制御ユニットが設けられており、
自販機制御ユニットは、通常モードと無料モードとを切り替えることが可能であって、無料モードは、商品収容部に収容された商品を無料で払い出すモードであり、
抽選器は、抽選制御ユニットを備えており、抽選制御ユニットは、抽選を電子的に行う抽選実行部と、抽選実行部で抽選が実行された際に当たりの旨の結果を景品払い出し制御ユニットに出力する出力部とを備えており、
景品払い出し制御ユニットは、抽選制御ユニットの出力部から当たりの出力がされた際に自販機制御ユニットに対し通常モードから無料モードに切り替える信号を出力するものであり、
自販機制御ユニットは、抽選制御ユニットの出力部から当たりの出力があって通常モードから無料モードに切り替えた後、景品としての商品の払い出しが完了した際に当該払い出し完了の信号を景品払い出し制御ユニットに出力するものであって、景品払い出し制御ユニットは、払い出し完了の信号が自販機制御ユニットから出力された際、自販機制御ユニットに対し無料モードから通常モードに切り替える信号を出力するものであることを特徴とする景品提供装置。
【請求項２】
前記抽選器は撤去可能な状態で設けられており、他の自動販売機に対して再利用可能な状態で設けられていることを特徴とする請求項１記載の景品提供装置。
【請求項３】
前記抽選器は、福引き器を模したものであって、利用者が回すことができる回転ドラムを備え、回転ドラムが一回転した際に前記抽選実行部が抽選を行うよう構成されたものであることを特徴とする請求項１又は２記載の景品提供装置。
【請求項４】
前記抽選器で抽選する権利を示すものである抽選券を読み取る抽選券読み取り機が、前記抽選器に対して設けられており、
抽選券読み取り機は、抽選参加者が持参した抽選券を読み取って真正なものであるかどうか判断するものであって、真正なものであると判断した際に前記抽選器の抽選制御ユニットに対して抽選を行わせるための信号を出力するものであることを特徴とする請求項１、２又は３記載の景品提供装置。
【請求項５】
前記抽選券はカード状のものであり、前記抽選券読み取り機は、前記抽選券を再利用可能な状態で回収する回収部を備えていることを特徴とする請求項４記載の景品提供装置。
【請求項６】
前記自販機制御ユニットは、前記複数の商品選択ボタンのうちの任意の商品選択ボタンで選択される商品について無料モードとすることができるものであり、
前記抽選実行部による抽選結果における当たりは、順位のある複数の当たりであって、前記景品払い出し制御ユニットは、当たりの順位に応じて無料モードする前記商品選択ボタンの範囲を指定する信号を前記自販機制御ユニットに出力するものであり、前記自販機制御ユニットは、指定された範囲の前記商品ボタンについて無料モードとする制御を行うものであることを特徴とする請求項１乃至５いずれかに記載の景品提供装置。
【発明の詳細な説明】
【技術分野】
【０００１】
この出願の発明は、飲料自動販売機のような自動販売機を利用して景品を提供する景品提供装置に関する。
【背景技術】
【０００２】
各種のプロモーション（販売促進）の一環として、景品を提供することが従来から行われている。例えば、クーポン券を配布したり、先着何名に限って無料の物品を贈呈したり、くじや抽選で何名かに無料の物品を提供したりといった具合である。スクラッチカードの配布も、くじによる景品提供の一つである。この他、街頭で配布されているテッシュ等の有価物も、ある種の景品である。尚、本願において、「景品」とは広い意味であり、商品やサービスの販売促進、イベント会場や各種サービス施設への来場促進等の目的で無料で提供される物品を意味する。
【先行技術文献】
【特許文献】
【０００３】
【特許文献１】特開２００７−１１９４１号公報
【発明の概要】
【発明が解決しようとする課題】
【０００４】
このような景品提供によるプロモーションは効果を発揮する場合が多いが、しばしばそのコストが問題となる。テッシュ配りのように不特定多数の者に一律に景品を提供するプロモーションの場合、購入や来場の可能性の無い者に対してまで景品を提供していることになるので、コスト上の問題が大きい。
購入量に応じて景品を提供したり（例えば次回購入の際に使用できるポイントの付与）、先着購入者何名に限って景品を提供したりする場合は、景品の量を制限できるので、景品に要するコストは抑えられる。ただ、多く購入をしなければならなかったり、いち早く来店して購入しなければならなかったりと、被提供者にとっては条件が課されるため、あまりインセンティブにならない場合が多い。これにくらべると、くじや抽選による景品提供は、ある意味公平であり、またゲーム性も加わるため、購入や来場への大きなインセンティブにつながり易い。
【０００５】
他方、抽選やくじによる景品提供は、公正さを確保する等のため、実施に際して人的なコストが発生することが避けられない。例えば、商店街等では福引きによる景品提供がしばしば行われている。加盟する商店で購入量に応じて抽選券が配布され、一定量の抽選券の提示と引き替えに福引きを行う権利（福引き器を使用する権利）が与えられる。この際、抽選の結果、当たりであった場合、当たりの種類に応じた景品を取り出して参加者に提供する係員を配置することが必要である。この他、福引き器による抽選の結果を確認したり福引き器の操作の監視（不正な操作がないか等）をしたりするための人員も必要なため、かなりの人的コストがかかる。この他、商品を置いておく場所等の専用のスペースも必要になるため、場所のコストも発生する。
【０００６】
スクラッチカードによる景品提供の場合、当たりのスクラッチカードであるかどうかを係員が判断する必要があるため、その点で人的コストが発生する。また、ボックスから券を引く単純なくじ引きの場合には、当たり券の確認にさほど手間はかからないが、ボックス内に適量の当たり券を入れ、外れ券とともに十分に均一に混ぜ合わせる等の準備作業が必要であり、やはり手間（人的コスト）がかかる。
本願発明は、このような課題を解決するために為されたものであり、人的コストや場所のコストが抑えられ、ゲーム性もあって非常に効果的な景品提供が行える景品提供装置を提供することを解決課題とするものである。
【課題を解決するための手段】
【０００７】
上記課題を解決するため、この出願の請求項１記載の発明は、自動販売機と、自動販売機に対して設けられている抽選器と、景品払い出し制御ユニットとを備えた景品提供装置であって、自動販売機は、通常は有料販売される商品を景品として無料提供することが可能なものであり、
自動販売機は、
筐体と、
筐体内に設けられた商品収容部及び商品払い出し機構と、
筐体に設けられた商品取り出し口と、
複数の商品選択ボタンと、
金銭投入部と
を備えており、
自動販売機の筐体内には、商品選択ボタンで選択された商品と金銭投入部から投入された金銭とに従って商品払い出し機構を制御する自販機制御ユニットとが設けられており、
自販機制御ユニットは、通常モードと無料モードとを切り替えることが可能であって、無料モードは、商品収容部に収容された商品を無料で払い出すモードであり、
抽選器は、抽選制御ユニットを備えており、抽選制御ユニットは、抽選を電子的に行う抽選実行部と、抽選実行部で抽選が実行された際に当たりの旨の結果を景品払い出し制御ユニットに出力する出力部とを備えており、
景品払い出し制御ユニットは、抽選制御ユニットの出力部から当たりの出力がされた際に自販機制御ユニットに対し通常モードから無料モードに切り替える信号を出力するものであり、
自販機制御ユニットは、抽選制御ユニットの出力部から当たりの出力があって通常モードから無料モードに切り替えた後、景品としての商品の払い出しが完了した際に当該払い出し完了の信号を景品払い出し制御ユニットに出力するものであって、景品払い出し制御ユニットは、払い出し完了の信号が自販機制御ユニットから出力された際、自販機制御ユニットに対し無料モードから通常モードに切り替える信号を出力するものであるという構成を有する。
また、上記課題を解決するため、請求項２記載の発明は、前記請求項１の構成において、前記抽選器は撤去可能な状態で設けられており、撤去後に他の自動販売機に対して再利用可能な状態で設けられているという構成を有する。
また、上記課題を解決するため、請求項３記載の発明は、前記請求項１又は２の構成において、前記抽選器は、福引き器を模したものであって、抽選参加者が回すことができる回転ドラムを備え、回転ドラムが一回転した際に前記抽選実行部が抽選を行うよう構成されたものであるという構成を有する。
また、上記課題を解決するため、請求項４記載の発明は、前記請求項１、２又は３の構成において、前記抽選器で抽選する権利を示すものである抽選券を読み取る抽選券読み取り機が、前記抽選器に対して設けられており、
抽選券読み取り機は、抽選参加者が持参した抽選券を読み取って真正なものであるかどうか判断するものであって、真正なものであると判断した際に前記抽選器の抽選制御ユニットに対して抽選を行わせるための信号を出力するものであるという構成を有する。
また、上記課題を解決するため、請求項５記載の発明は、前記請求項４の構成において、前記抽選券はカード状のものであり、前記抽選券読み取り機は、前記抽選券を再利用可能な状態で回収する回収部を備えているという構成を有する。
また、上記課題を解決するため、請求項６記載の発明は、前記請求項１乃至５いずれかの構成において、前記自販機制御ユニットは、前記複数の商品選択ボタンのうちの任意の商品選択ボタンで選択される商品について無料モードとすることができるものであり、
前記抽選実行部による抽選結果における当たりは、順位のある複数の当たりであって、前記景品払い出し制御ユニットは、当たりの順位に応じて無料モードする前記商品選択ボタンの範囲を指定する信号を前記自販機制御ユニットに出力するものであり、前記自販機制御ユニットは、指定された範囲の前記商品ボタンについて無料モードとする制御を行うものであるという構成を有する。
【発明の効果】
【０００８】
以下に説明する通り、この出願の請求項１記載の発明によれば、自動販売機を利用して景品提供がされるので、景品提供のために人員を配置したり、景品を置いておく特別の場所を用意したりする必要はない。自動販売機は、景品提供が完了した後は自動的に通常モードに復帰するので、オペレーション（運用）のために特段の操作は必要ない。景品提供のためには抽選器を追加すれば足り、必要な追加スペースは僅かである。したがって、実施形態の景品提供装置は、景品提供に要する全体の人的コスト、設備コストが低く抑えられ、狭いスペースで行える極めて好適な販売促進策を可能にするものとなっている。また、抽選器による抽選の結果に従って景品が提供されるので、ゲーム性も有している。
また、請求項２記載の発明によれば、上記効果に加え、抽選器が他の自動販売機に対して再利用可能であるので、この点でより低コストの景品提供装置となる。
また、請求項３記載の発明によれば、上記効果に加え、抽選器が福引き器を模したものであるので、よりエンターテイメント性が高くなっている。
また、請求項４記載の発明によれば、上記効果に加え、抽選券読み取り機を備えているので、抽選をする権利を有することを抽選券により確認することが可能で、その際、抽選券の確認のために特に係員を配置する必要はなく、この点で人的コストがさらに低く抑えられる景品提供装置となる。
また、請求項５記載の発明によれば、上記効果に加え、抽選カードが再利用されるので、この点でより低コストの景品提供が行える。
また、請求項６記載の発明によれば、上記効果に加え、複数の順位のある当たりに対応して適宜景品が提供されるので、この点で好適なものとなっている。
【図面の簡単な説明】
【０００９】
【図１】実施形態に係る景品提供装置の斜視概略図である。
【図２】図１に示す自販機１において前面扉１２を開けた状態の斜視概略図である。
【図３】抽選器２を構成するドラムユニット２２の側面断面概略図である。
【図４】抽選カード２の一例について示した概略図である。
【図５】カード読み取り機３の正面断面概略図である。
【図６】カード読み取り機３の側面断面概略図である。
【図７】読み取りセンサ３２について示した斜視概略図である。
【図８】カード読み取り機３の動作について示した正面断面概略図である。
【図９】実施形態の景品提供装置の制御系について示したブロック図である。
【図１０】リセット用センサ２８及び回転センサ２７の配置位置及び動作について示した正面概略図である。
【発明を実施するための形態】
【００１０】
次に、この出願発明を実施するための形態（以下、実施形態）について説明する。
図１は、実施形態に係る景品提供装置の斜視概略図である。この装置は、自動販売機を利用して景品提供を行う装置となっており、自動販売機（以下、自販機）１と、自販機１に対して設けられている抽選器２と、景品払い出し制御ユニット４とを備えている。
自販機１としては、この実施形態では飲料自動販売機が採用されている。自販機１は、図１に示すように、筐体１１と、筐体１１の前面に設けられた前面扉１２とを備えている。図２は、図１に示す自販機１において前面扉１２を開けた状態の斜視概略図である。
【００１１】
この自販機１は、清涼飲料水の自動販売機となっており、図２に示すように、筐体１１内には、販売する缶入り又はＰＥＴボトル入りの清涼飲料を収容した商品収容部１１１が設けられている。図２に示すように、前面扉１２には、商品の見本を展示した展示部１２１、購入する商品を選択する複数の商品選択ボタン１２２、購入のための硬貨や紙幣を投入する金銭投入部１２３、購入した商品を取り出す取り出し口１２４などが設けられている。金銭投入部１２３は、コインメックやビルバリを含んでおり、投入された硬貨や紙幣が真正なものであるかどうか判断し、真正なものであればその種別、合計額を算出するものである。
【００１２】
また、筐体１１内には、自販機１の動作を制御する制御ユニット（以下、自販機制御ユニット）１３が設けられている。図２に示すように、自販機制御ユニット１３は、前面扉１２の裏面に固定されている。自販機制御ユニット１３は、プロセッサや記憶部（メモリ）等を備え、金銭投入部１２３で投入された金銭が規定の金額に達しているかどうかの判断等を行うものである。
【００１３】
商品収容部１１１は、自販機制御ユニット１３からの信号に従って商品を一つずつ払い出す払い出し機構１４を備えており、自販機制御ユニット１３は、投入された金銭が所定の金額に達していると判断した場合、払い出し機構１４に信号を送り、選択された商品を取り出し口１２４に払い出すようになっている。これらの構成や機構の構造は、通常の自動販売機と同様のものとすることができる。
【００１４】
一方、抽選器２としては、この実施形態では電子的に抽選を行うものが使用されている。即ち、抽選器２は抽選制御ユニット２１を備えており、抽選制御ユニット２１は、電子回路で構成された抽選実行部２１１と、抽選実行部２１１での抽選結果を出力する抽選結果出力部２１２とを含んでいる。但し、この実施形態では、抽選器２は、いわゆる福引きを模したものとなっており、抽選制御ユニット２１に動作指令を出力する機構部分２２が福引き器を模して構成されている。機構部分２２は、回転ドラム２３を含んでおり、以下、ドラムユニットと呼ぶ。尚、この実施形態では、抽選制御ユニット２１や景品払い出し制御ユニット４は、自販機１の筐体１１内の空きスペースに収容されている。
【００１５】
図３は、抽選器２を構成するドラムユニット２２の側面断面概略図である。ドラムユニット２２は、回転ドラム２３と、回転ドラム２３に固定されたハンドル２３１と、回転軸２４を介して回転ドラム２３を回転可能に保持した保持板２５等から構成されている。
図１及び図３に示すように、保持板２５は、垂直に立てた姿勢の方形の板である。下面に、姿勢を安定させるためのベース板２５３が設けられている。
回転ドラム２３は、正面視が正多角形状の中空の部材であり、前面板２３２と、ボックス状のドラム体２３３とから形成されている。ハンドル２３１は、前面板２３２に固定されている。
【００１６】
保持板２５には、回転軸２４を水平に挿通させた貫通穴が形成されている。回転軸２４の先端は、前面板２３２の中央に固定されている。保持板２５の前面には、回転軸２４を回転可能に支えるための保持枠２５１が固定されている。保持枠２５１内には、軸受け２５２が設けられており、回転軸２４は軸受け２５２に挿通されている。軸受け２５２としては、オイレス軸受けが使用されている。
回転ドラム２３内には、ワンウェイクラッチ２３４が設けられている。図３に示すように、ドラム体２３３の背面部には、回転軸２４を挿通させた開口が形成されており、開口の内側にワンウェイクラッチ２３４が固定されている。ワンウェイクラッチ２３４としては、カムクラッチが使用されている。
【００１７】
また、回転軸２４には、ブレーキユニット２６が取り付けられている。ブレーキユニット２６としては、この実施形態では、電磁ブレーキユニットが使用されている。ブレーキユニット２６は、永久磁石が固定されたロータ２６１と、電磁石が設けられたステータ２６２とを含んでいる。ロータ２６１が回転軸２４の後端部分に固定され、ステータ２６２は保持板２５の背面に固定されている。ステータ２６２は、ほぼ円筒状の形状であり、内側に軸受け２６３を介して回転軸２４を挿通させている。ステータ２６２の後端面とロータ２６１の前面とは、短い所定の間隔で対向している。ステータ２６２内の不図示の電磁石が励磁されることで、ロータ２６１の回転が停止する（ブレーキが作動する）。保持板２５の後ろ側において、回転軸２４は軸受け２６３を介して保持板２５に保持されている。
【００１８】
また、回転軸２４には、回転ドラム２３が一回転したことを検出する検出する回転センサ２７が取り付けられている。図３に示すように、回転軸２４の後端部分はロータ２６１を貫通しており、後方に突出した部分にアーム２４１が固定されている。アーム２４１の先端には、図３に示すように前側に折れ曲がっており、その前面に反射部２４２が形成されている。反射部２４２は、アーム２４１の先端の前面を鏡面加工して反射面とするか反射板を設けることで形成される。そして、保持板２５の背面のうち、反射部２４２に対向し得る場所には、回転センサ２７として反射型フォトセンサが取り付けられている。尚、図３では不図示であるが、この他、リセット用センサ２８が同様に保持板２５の背面に取り付けられている。リセット用センサ２８は、回転センサ２７と同様の反射型フォトセンサであり、回転軸２４を中心とした同一円周上に回転センサ２７とリセット用センサ２８とが取り付けられている。
【００１９】
尚、この実施形態では、抽選器２は福引き器を模していることを考慮し、臨場感を高めるための音声発生部２９が設けられている。音声発生部２９は、福引き器が発生させる音声と同様の音声を発生させるものである。図３に示すように、音声発生部２９は、回転ドラム２３に固定された容器２９１と、容器２９１内に収容された多数の粒状体２９２とによって構成されている。粒状体２９２は、３〜１０ｍｍ程度の球状のものであり、材質は、プラスチック、木、セラミックス又は金属等である。回転ドラム２３が回転した際、容器２９１内で多数の粒状体２９２が移動してジャラジャラと音を立てる。このため、抽選参加者にとっては福引き器を操作しているのと同様の感覚となり、臨場感が高められる。
【００２０】
また、図３に示すように、保持板２５と回転ドラム２３との間には、必要に応じて回転抵抗体２５５が設けられる。回転抵抗体２５５は、回転ドラム２３が勢い良く回ってしまうのを避けるためのものである。回転抵抗体２５５としては、例えば表面が凹凸状となっているクッション材が使用され、保持板２５に固定される。凹凸状の表面が回転ドラム２３に軽く接触する状態とされ、摩擦力により回転に対して適度な抵抗（負荷）が加わる状態とされる。
【００２１】
一方、この実施形態では、抽選券を持参した者のみが抽選に参加できるようになっている。そして、実施形態の景品提供装置は、抽選券を読み取る抽選券読み取り機３を備えている。抽選券としてはカード状のもの（以下、抽選カード）３０を使用することが想定されている。したがって、抽選券読み取り機３は、この実施形態では抽選カードを読み取るもの（以下、カード読み取り機３）となっている。抽選カード３０及びカード読み取り機３について、図１、図４、図５及び図６を使用して説明する。図４は、抽選カード３０の概略図、図５はカード読み取り機３の正面断面概略図、図６はカード読み取り機３の側面断面概略図である。
図４に示すように、抽選カード３０は長方形の名刺サイズのものである。抽選カード３０は、ＰＶＣ（ポリ塩化ビニール）やＰＥＴ（ポリエチレンテレフタレート）のような樹脂製の透明な基材３０１に情報担持部３０ａ〜３０ｄが設けられることにより構成されている。抽選カード３０には、景品提供のための抽選券である旨の印刷がされている。情報担持部３０ａ〜３０ｄも、この実施形態では印刷により設けられている。但し、シール貼り等の他の方法による場合もある。
【００２２】
情報担持部３０ａ〜３０ｄは、抽選カード３０として真正なものであることを示すための情報である。実施形態の装置を使用した景品提供は、例えば商店街やデパート等での販売促進の一環として行われる。景品は自販機１で提供されるものであるため、それほど高額なものではないが、偽造したカードの使用を防止するため、情報担持部３０ａ〜３０ｄをカード読み取り機３で読み取らせてから抽選を行わせるようにしている。
この実施形態では、情報担持部３０ａ〜３０ｄは、フォトセンサで読み取られるようになっており、光を遮断する黒色のパターンと、光と透過させる透明なパターンとを組み合わせた比較的シンプルなものとなっている。具体的には、図４に示すように、情報担持部３０ａ〜３０ｄは、一つの辺に二箇所、合計四箇所設けられている。各情報担持部３０ａ〜３０ｄで担持される情報は、この実施形態では同じである。
【００２３】
図４に示すように、各情報担持部３０ａ〜３０ｄは、小さな方形の領域（以下、単位領域という。）３００が連続したものであり、この実施形態では、五つの単位領域３００で一つの情報担持部３０ａ〜３０ｄが形成されている。各単位領域３００は、黒色の印刷がされるか、印刷がされずに透明なままとされるかとなっている。以下、説明の都合上、黒色の印刷がされて形成された単位領域３００を黒色領域と呼び、透明なままとされた単位領域３００を透明領域と呼ぶ。透明領域には実際には輪郭がないが、理解のため、各図では透明領域の輪郭が描かれている。
【００２４】
四つの情報担持部３０ａ〜３０ｄを、第一の情報担持部３０ａ、第二の情報担持部３０ｂ、第三の情報担持部３０ｃ、第四の情報担持部３０ｄとする。第一第二の情報担持部３０ａ，３０ｂは、一方の側の辺上にあり、第三第四の情報担持部３０ｃ，３０ｄは他方の辺上にある。第一と第三の情報担持部３０ａ，３０ｃは向かい合っており、第二第四の情報担持部３０ｂ，３０ｄは向かい合っている。
【００２５】
説明の都合上、抽選カード３０は長辺方向を上下方向にした姿勢であるとし、第一第三の情報担持部３０ａ，３０ｃが設けられた側を上側とし、第二第四の情報担持部３０ｂ，３０ｄが設けられた側を下側とする。第一と第三の情報担持部３０ａ，３０ｃは上下方向で同じ位置にあり、第二第四の情報担持部３０ｂ，３０ｄは上下方向で同じ位置にある。図３に示すように、第一第三の情報担持部３０ａ〜３０ｄでは、上から順に、黒色領域、透明領域、黒色領域、黒色領域、透明領域が並んでいる。そして、第二第四の情報担持部３０ｂ，３０ｄでは並びが上下方向で逆となっており、上から順に、透明領域、黒色領域、黒色領域、透明領域、黒色領域となっている。
【００２６】
図１、図５及び図６に示すように、カード読み取り機３は、円筒状のケーシング３１と、ケーシング３１内に設けられた読み取りセンサ３２と、真正な抽選カードのみ通過させるゲート部３３と、読み取りセンサ３２からの出力により真正な抽選カードかどうかを判断して制御や信号出力を行う読み取り制御部３４等から構成されている。
【００２７】
ケーシング３１は、上板部３１１及び底板部３１２を有する円筒状である。図５及び図６に示すように、ケーシング３１内は、水平な区画板３５により上下に区画されている。ケーシング３１のうち、区画板３５より下側の部分３６は、抽選カード３０の回収用の空間を形成している（以下、カード回収部という）。図３に示すように、カード回収部３６には、不図示の鍵穴を備えた開閉扉３６１が設けられている。
【００２８】
図１、図５及び図６に示すように、ケーシング３１の上板部３１１には、カード挿入口３１０が形成されている。カード挿入口３１０はスリット状であり、抽選カード３０の幅よりも少し長く、抽選カード３０の厚さよりも少し幅広である。
ケーシング３１内には、カード挿入口３１０から下方に延びるようにして角筒状のガイド３７が設けられている。ガイド３７の内面における長尺方向の幅は、抽選カード３０の幅よりも少し大きく、短尺方向の幅は抽選カード３０の厚さよりも少し大きい。尚、図３は、ガイド３７の短尺方向での断面概略図であり、図４は、ガイド３７の長尺方向での断面概略図である。
図５及び図６に示すように、区画板３５には落とし込み孔３５０が形成されている。落とし込み孔３５０は、ガイド３７の下端開口と同様の寸法形状のスリットであり、ガイド３７の下端開口と連通している。
【００２９】
ゲート部３３は、高さ方向の途中でガイド３７の内部空間を閉鎖するよう設けられた受け具３３１と、受け具３３１を駆動する駆動機構３３２とから構成されている。図５に示すように、ガイド３７は高さ方向途中の位置に進退孔が形成されている。進退孔は、ガイド３７を構成する長尺方向の一対の側板の双方に形成されている。
【００３０】
駆動機構３３２は、直動ソレノイドのような直線駆動機構であり、受け具３３１を所定のストロークで進退運動させる機構である。受け具３３１は、駆動機構３３２によって前進位置と後退位置との間で移動する。前進位置は、図５に示すように受け具３３１が進退孔に挿入されてガイド３７内を遮断する状態となる位置である。後退位置は、受け具３３１がガイド３７内を遮断しない位置である。尚、受け具３３１は、通常状態では、前進位置に位置している。
【００３１】
そして、進退孔の少し上側の位置に、読み取りセンサ３２が設けられている。図７は、読み取りセンサ３２について示した斜視概略図である。図７に示すように、この実施形態では、読み取りセンサ３２は、複数の透過型のフォトセンサ３２１によって構成されている。フォトセンサ３２１は、発光素子と受光素子とが光軸３２０上に設けられて一対となったものである。フォトセンサ３２１の数は、一つの情報担持部３０ａ〜３０ｄに設けられた単位領域３００の数に一致しており、且つ光軸３２０の離間距離は、各単位領域３００の中心間の距離に一致している。
【００３２】
尚、受け具３３１は前述したように通常状態では前進位置にあるが、この状態で受け具３３１の上に抽選カード３０が乗った際、当該抽選カード３０の向きに応じていずれかの情報担持部３０ａ〜３０ｄが読み取りセンサ３２を臨む状態となる。「臨む状態」とは、いずれかの情報担持部３０ａ〜３０ｄの各単位領域３００が各フォトセンサ３２１の光軸３２０上に位置する状態である。このような状態となるよう、受け具３３１の前進位置との関係で各フォトセンサ３２１の配置位置が決定されている。
【００３３】
各フォトセンサ３２１の受光素子は読み取り制御部３４に接続されており、各フォトセンサ３２１のオンオフ信号が読み取り制御部３４に入力されるようになっている。読み取り制御部３４は、真正な抽選カード３０の場合の識別情報を保持した識別情報保持回路３４１と、入力された各フォトセンサ３２１からの信号をデジタル情報として受信する受信回路３４２と、受信したデジタル情報を識別情報保持回路３４１で保持された識別情報とを対比して真正な抽選カード３０であるかどうかの判断等を行う判断回路３４３と、駆動機構３３２や抽選器２の抽選制御ユニット２１に信号を出力する出力回路３４４等から構成されている。これら各回路３４１，３４２，３４３，３４４は、ＲＯＭや論理回路等の比較的簡単な回路で構成できるので、詳細は省略する。
【００３４】
尚、ガイド３７の上端付近には挿入検出センサ３７１が配置されており、落とし込み孔３５０の下側位置には、回収検出センサ３７２が配置されている。挿入検出センサ３７１は、カードが挿入されたことを検出するセンサであり、回収検出センサ３７２は抽選カード３０により抽選が行われて抽選カード３０が回収されるのを検出するセンサである。カード読み取り機３は、不図示の電源回路を備えているが、読み取りセンサ３２や読み取り制御部３４は、挿入検出センサ３７がカードの検出をした際に給電されて動作が開始するようになっている。
【００３５】
ケーシング３１の上板部は、アクリル樹脂のような乳白色の板となっており、内部にＬＥＤのような光源３１３が内蔵されている。ケーシング３１内には、光源３１３の点灯回路３１４が設けられている。真正な抽選カードであると判断されると、点灯回路３１４が動作して光源３１３が点灯するようになっている。
【００３６】
次に、このようなカード読み取り機３の動作について、図８を使用して説明する。図８は、カード読み取り機３の動作について示した側面断面概略図である。まず、図８（１）に示すように、抽選カード３０がカード挿入口３１０から挿入される。通常状態では受け具３３１は前進位置にあるので、カードは受け具３３１に当たってそれ以上は差し込まれない状態となる。この際、挿入検出センサ３７１がオンとなり、読み取りセンサ３２や出力制御回路３４の動作が開始される。
【００３７】
図８（１）に示す状態では、受け具３３１の上に抽選カード３０が乗った状態であるので、図５に示すようにいずれかの情報担持部３０ａ〜３０ｄが読み取りセンサ３２を臨む状態となる。この結果、情報担持部３０ａ〜３０ｄの各単位領域３００のパターンに応じて各フォトセンサ３２１がオンオフされる。各フォトセンサ３２１の出力は読み取り制御部３４に入力され、保持されている情報と比較される。図５に示す例を真正な情報カードである場合のパターンとし、「黒色」を０、「透明」を１とすると、上から順に１００１０の信号が得られた場合、そのカードは真正な抽選カードであると判断される。
【００３８】
尚、真正な抽選カード３０については、実際は二つの意味がある。前述したように、この実施形態では、景品提供は、商店街やデパート等での販売促進キャンペーンの一環として行われる。従って、真正な抽選カード３０であるということは、抽選とは全く関係のないカードではないという意味と、他の販売促進キャンペーンで配布された抽選券（他の商店街やデパート等で行われた配布された抽選券）ではないという意味がある。この種の景品提供装置は、自販機１を設置して商品の販売を行う業者（以下、自販機業者）が、追加のサービスとして行う場合が多い。自販機業者は、商店街の一角やデパートの休憩コーナー等に自販機１を置かせてもらって商品販売を行っているが、商店街やデパート等への追加サービスとして、販売促進キャンペーンとして景品提供を行う。この際、各抽選券の情報担持部３０ａ〜３０ｄには、当該キャンペーン専用の識別情報を担持される。自販機業者は、他の商店街やデパートでも同様のサービスを行う場合があり得るが、その際の識別情報は、異なる識別情報とされる。
【００３９】
したがって、全く関係がないカードをカード挿入口３１０に差し込むと、情報担持部３０ａ〜３０ｄがないので、真正な抽選カード３０ではないと判断される。また、抽選カード３０ではあっても、他のキャンペーン施設で提供された抽選カード３０を差し込むと、識別情報が異なるので真正な抽選カード３０ではないとされる。上記の例でいうと、黒色領域及び透明領域のパターンが例えば１０１０１であった場合、抽選カード３０ではあるが識別情報が一致しないので真正ではないとされる。
【００４０】
カード読み取り機３の読み取り制御部３４において、真正な抽選カード３０であると判断されると、読み取り制御部３４の出力回路３４４の値が切り替わり、真正な抽選カード３０であることが確認された旨の信号（以下、読み取りＯＫ信号）が抽選器２の抽選制御ユニット２１に送られる。これにより、後述するように、抽選器２の使用が可能になる。この際、点灯回路３１４が動作して上板部３１１の光源３１３が点灯する。これは、抽選カード３０が真正なものとして判断されたことを利用者に知らせるためである。その後、抽選器２のリセット用センサ２８からリセット信号を受信すると、駆動機構３３２が動作する。これにより、受け具３３１が後退位置まで後退し、図８（２）に示すように、抽選カード３０が落下してカード回収部３６に収容される（図８（３））。
【００４１】
尚、真正な抽選カードではない場合、受け具３３１は後退せず、カードは回収されずにそのままの状態となる。例えば、利用者が誤って別のカードを挿入してしまった場合が考えられる。このような場合、そのカードを取り出す必要があるが、カードを取り出し易いよう、図１及び図５に示すようにカード挿入口３１０の縁には切り欠き３１５が設けられている。
【００４２】
上記説明から解るように、抽選カード３０が挿入される際、上下が逆になったり左右が逆になったりしても、いずれかの情報担持部３０ａ〜３０ｄが読み取りセンサ３２で読み取られる。各情報担持部３０ａ〜３０ｄには同じ識別情報が担持されているので、いずれの姿勢で抽選カード３０を挿入してもエラーなく識別情報が読み取られる。
【００４３】
次に、このような景品提供装置の全体の制御系について図９を使用して説明する。図９は、実施形態の景品提供装置の制御系について示したブロック図である。
図９に示すように、抽選制御ユニット２１は、ドラム制御部２１３、抽選実行部２１１、抽選結果出力部２１２等を備えている。ドラム制御部２１３は、回転センサ２７からの出力により回転ドラム２３の回転を停止させたり抽選実行部２１１に抽選実行信号を出力したりする部分である。尚、図１及び図２に示す筐体１１の背面を貫通した状態で信号線が延びており、信号線によって抽選制御ユニット２１とドラムユニット２２とが結線されている。筐体１１内において、抽選制御ユニット２１は景品払い出しユニットに図２中不図示の信号線によって接続され、景品払い出しユニットは図２中不図示の信号線によって自販機制御ユニット１３に接続されている。これら信号線は、商品払い出しに支障がないように設けられている。
【００４４】
一方、自販機制御ユニット１３は、モニタ出力端子１３１を備えている。モニタ出力端子１３１は、自販機１の状態が、定常状態、払い出しスタンバイ状態のいずれかであるかを出力する端子である。規定量の金銭の投入があって商品の払い出しが可能な状態が払い出しスタンバイ状態である。払い出しスタンバイ状態では、払い出し可能な商品についての商品選択ボタンのランプが点灯する。図９に示すように、モニタ出力端子１３１は、カード読み取り機３１の読み取り制御部３４に接続されている。
【００４５】
図９に示すように、読み取り制御部３４の出力回路３４４は、抽選器２の抽選制御ユニット２１に接続されている。抽選制御ユニット２１のドラム制御部２１３は、通常状態では、ブレーキユニット２６にオン信号を出力してブレーキを作動させており、カード読み取り機３の読み取り制御部３４の出力回路３４４から読み取りＯＫ信号の入力があった場合に限り、ブレーキユニット２６のステータ２６２にオフ信号を出力し、ブレーキを解除するよう構成されている。
【００４６】
ブレーキが解除されると、回転ドラム２３は回転可能な状態となる。回転ドラム２３の回転は、抽選参加者がハンドル２３１を握って回すことで行われるが、この際、回転ドラム２３の回転は、リセット用センサ２８及び回転センサ２７で検出される。これらセンサからの信号は、回転ドラム２３の停止制御とともに、抽選の実行制御に利用される。以下、この点について、図９及び図１０を参照しながら説明する。図１０は、リセット用センサ２８及び回転センサ２７の配置位置及び動作について示した正面概略図である。
【００４７】
図９に示すように、リセット用センサ２８は、抽選制御ユニット２１の抽選実行部２１１及びカード読み取り機３の読み取り制御部３４に接続されている。また、回転センサ２７は、ドラム制御部２１３に接続されている。図１０に示すように、回転ドラム２３の回転中心（回転軸２４の中心）Ｃを中心とする同一円周上に、回転センサ２７とリセット用センサ２８が設けられている。図９に示すように、ワンウェイクラッチ２３４により規制された回転の向きを例えば時計回りの方向とする。図９に示すように、回転の向きに対してリセット用センサ２８が後方、回転センサ２７が前方に位置している。回転センサ２７とリセット用センサ２８は、ともに反射型のフォトセンサであるが、反射部２４２は共用されている。
【００４８】
図１０（１）には、回転ドラム２３が回転中の状態が示されている。回転が進むと、図１０（２）に示すように、反射部２４２はまずリセット用センサ２８に対向した状態となる。これにより、リセット用センサ２８のオン信号（リセット信号）がカード読み取り機３の読み取り制御部３４及び抽選制御ユニット２１の抽選実行部２１１に送られる。さらに回転が進み、図１０（３）に示すように反射部２４２が回転センサ２７に対向した状態になると、回転センサ２７のオン信号がドラム制御部２１３に送られる。
【００４９】
抽選制御ユニット２１は、これらセンサ２７，２８からの信号に従って回転ドラム２３を停止させたり、抽選を実行したりするよう構成されている。具体的には、まず、リセット用センサ２８からオン信号が送られた際、抽選制御ユニット２１は抽選実行部２１１をリセットする。そして、回転センサ２７からオン信号が送られた際、抽選制御ユニット２１はドラム制御部２１３から信号を送り、ブレーキユニット２６を動作させるとともに、抽選実行部２１１を作動させて抽選を実行させる。ブレーキユニット２６では、ステータ２６２が励磁されてブレーキがかかり、回転軸２４及びこれに固定された回転ドラム２３の回転が停止する。抽選実行部２１１では、所定のアルゴリズムにより抽選が行われ、抽選結果が景品払い出し制御ユニット４に出力される。抽選制御ユニット２１は、ＲＯＭのような論理回路で形成されており、上記のようなシーケンスで動作するようプログラムが書き込まれている。尚、抽選実行部２１１は、リセットされていない状態で回転センサ２７のオン信号が送られた場合には抽選を行わない。
【００５０】
また、カード読み取り機３の読み取り制御部３４は、不図示の状態判定回路を備えており、ここでは、状態を示す値としてリセット状態を意味する“０”と非リセット状態を意味する“１”のいずれかが保持されるようになっている。リセット用センサ２８からのオン信号の入力があると、状態判定回路の値は“０”にされる。抽選カード３０が読み取られ、真正なものであると判断され、その旨の信号が抽選器２の抽選制御ユニット２１に送信された際、状態判定回路の値は“１”に変更される。そして、抽選参加者が回転ドラム２３を回し、リセット用センサ２８が再びオンした際、読み取り制御部３４は駆動機構３３２を動作させて抽選カード３０を落下させるとともに、状態判定回路の値を“１”から“０”に変更する。その後、読み取り制御部３４は、駆動回路３３２を逆向きに動作させ、受け具３３１を当初の姿勢に戻す。つまり、状態判定回路の値は、真正な抽選カード３０が読み取られた旨の信号が抽選器２の抽選制御ユニット２１に出力されてからリセット用センサ２８のオン信号を受信するまでが“１”であり、その他の時間帯は“０”ということになる。
【００５１】
上記のような制御の下で実行される抽選の結果に従い、景品が無料提供される。このための構成には、自販機１の機能が利用されている。以下、この点について説明する。
現在市販されている自動販売機の中には、商品を無料で提供できるものが存在している。これは、主として災害等を考慮したもので、災害等の緊急時に飲料等を無料で提供できるようにしたものである。自動販売機内の制御ユニットは、有料モード（通常モード）と無料モードで動作できるようになっている。筐体の前面扉又は筐体内には、有料モードと通常モードとの切り替えを行う鍵穴が設けられていて、切り替え用の専用鍵は、自動販売機が置かれた場所の管理者が保有している。例えば大地震があって被災者がある施設に避難してきた場合、その施設に設置されている自動販売機において管理者が自動販売機を無料モードにして被災者に飲料等を無料提供することが想定されている。
【００５２】
実施形態の景品提供装置は、この種の自動販売機を利用したものであり、無料モードを景品提供に利用するものとなっている。より具体的に説明すると、図９に示すように、自販機制御ユニット１３は、モード制御部１５を備えている。モード制御部１５は、前面扉１２に設けられた無料モード用鍵穴につながっており、無料モード用鍵穴に付設された切替スイッチ１５１から信号が入力されるユニットである。尚、モード制御部１５が自販機制御ユニット１３内に一要素として設けられている場合もある。
【００５３】
モード制御部１５は、無料で払い出す旨の信号を自販機制御ユニット１に出力する部分である。モード制御部１５では、無料モードにおいて無料提供される商品を設定できるようになっている。例えば飲料の自動販売機では、缶コーヒーや炭酸飲料といった飲料の他、ペットボトル入りのミネラルウォーターも販売している。したがって、ミネラルウォーターのみ無料提供するよう設定することができるようになっている。
【００５４】
より具体的に説明すると、商品収容部１１１は、カラムと呼ばれるエリア毎に商品を収容している。商品選択ボタン１２２は、カラムを指定するものとなっており、自販機制御ユニット１３は指定されたカラムから商品を払い出すよう払い出し機構１４に制御信号を送るものである。モード制御部１５は、カラム毎に無料モードとするかどうかを設定する設定回路（以下、カラム別設定回路）１５２を含んでいる。各カラムは各商品選択ボタン１２２に対応しているので、無料モードにする商品を設定しているともいえる。尚、カラム別設定回路１５２での設定は、通常、モード制御部１５に付設されたセレクトスイッチ１５３により手動で行われる。
【００５５】
一方、この実施形態では、このようなタイプの自販機１を使用するものの、モード制御部１５に対して無料モード用鍵穴の切替スイッチ１５１とパラレルに信号線が接続されている。この信号線は、抽選実行部２１１の出力側に設けられた景品払い出し制御ユニット４から延びたものである。景品払い出し制御ユニット４からは二つの信号線が延びており、一つは無料モード用鍵穴の切替スイッチ１５１に対してパラレルにモード制御部１５に接続されたもの、もう一つはモード制御部１５のセレクトスイッチ１５３に対してパラレルに接続されたものである。
【００５６】
景品払い出し制御ユニット４は、抽選実行部２１１からの出力により、モード制御部１５に対して無料モードとする旨の信号（無料モード用鍵穴が操作されたのと同様の信号、以下、無料モード切替信号）を出力するとともに、無料モードとするカラムを指定する信号（以下、無料カラム設定信号）をモード制御部１５に対して出力するものである。
抽選実行部２１１での抽選は、任意に設定し得るが、例えば１等から４等までとする（空くじなし）。この場合、例えば４等は自販機１で販売される商品のうち最も安いもののみが購入できるとされ、３等は最も安い商品と二番目に安い商品のみが購入できるとされ、２等は最も安い商品と二番目に安い商品と三番目に安い商品のみが購入できるとされ、１等はすべての商品が購入できるとされる。
【００５７】
抽選結果出力部２１２からは、抽選の結果に応じた信号（以下、抽選結果信号）が景品払い出し制御ユニット４に出力される。そして、抽選結果が当たりであった場合、抽選結果信号に従って景品払い出し制御ユニット４がモード制御部１５に無料モード切替信号及び無料カラム設定信号を出力する。上記の例では、４等の場合、最も安い商品が収容されているカラムのみ無料モードとする信号が出力され、３等の場合、最も安い商品と二番目に安い商品が収容されているカラムのみ無料モードとする信号が出力される。２等や１等の場合も同様である。
【００５８】
尚、上記のように無料モードに切り替えられると、一部又は全部の商品が無料購入できる状態となるため、自販機制御ユニット１３のモニタ出力端子１３１からは、自販機１が払い出しスタンバイ状態である旨の信号が出力される。
そして、抽選の結果に従って利用者がいずれかの商品選択ボタンを押すと、無料モードの機能により商品が無料で払い出される。そして、自販機制御ユニット１３のモニタ出力端子１３１からは定常状態を示す信号が出力される。
【００５９】
また、自販機制御ユニット１３からは、商品払い出し完了の信号が出力されるようになっている。一般的な自動販売機は、商品の販売個数の管理等のため、商品の払い出し個数を出力する端子を備えている。実施形態における自販機１も同様であり、自販機制御ユニット１３は、商品の払い出しが完了するたびに１を出力するカウンタ端子１３２を備えている。このカウンタ端子１３２は、景品払い出し制御ユニット４に接続されている。景品払い出し制御ユニット４は、無料モードに切り替える信号をモード制御部１５に出力した後、カウンタ端子１３２をモニタする状態となる。そして、カウンタ端子１３２から１が出力された際、モード制御部１５に対して通常モードに切り替える信号（以下、通常モード復帰信号）を出力するよう構成されている。即ち、無料モードでの景品提供が行われた後、自販機１は、自動的に有料モードに切り替わるようになっている。
尚、図９に示すように、自販機制御ユニット１３のモニタ出力端子１３１は、カード読み取り機３の読み取り制御部３４に接続されている。読み取り制御部３４は、読み取りＯＫ信号を抽選制御ユニット２１に出力する際、モニタ出力端子１３１の信号を確認するようになっている。即ち、モニタ出力端子１３１において、自販機１の状態が定常状態の場合に限り読み取りＯＫ信号を出力するようになっている。
【００６０】
次に、このような景品提供装置の全体の動作や使用方法について説明する。
実施形態の景品提供装置は、前述したように例えば商店街やデパート等の販売促進キャンペーンにおいて使用される。この際、キャンペーン用に抽選カード３０が多数用意される。即ち、キャンペーンの名前や主催者等の印刷に加え、真正な抽選カードである旨の情報（識別情報）を予め決定して情報担持部３０ａ〜３０ｄを印刷し、抽選カード３０を多数用意しておく。また、同一の識別情報をカード読み取り機３の読み取り制御部３４の識別情報保持回路３４１に記憶しておく。そして、期間内での一定以上の金額の購入等、予め条件を設定し、条件を満たした顧客に対して抽選カード３０を進呈する。
抽選参加者は、抽選カード３０をカード挿入口３１０に挿入する。抽選カード３０は、受け具３３１の上に乗り、いずれかの情報担持部３０ａ〜３０ｄが読み取りセンサ３２により読み取られる。
【００６１】
抽選カード３０が真正であると判断されると、読み取り制御部３４は、モニタ出力端子１３１からの信号に従って自販機１が定常状態であるかどうか判断し、定常状態の場合、出力回路３４４が読み取りＯＫ信号を抽選器２の抽選制御ユニット２１に送信する。この結果、抽選制御ユニット２１のドラム制御部２１３がブレーキを解除し、回転ドラム２３を回転可能にする。また、カード読み取り機３の読み取り制御部３４は、不図示の状態判定回路の値を“０”から“１”に変更する。
【００６２】
抽選カード３０の読み取りが完了したのは、カード読み取り機３のケーシング３１の上面の光源３１３の点灯により確認される。その後、抽選参加者は、抽選器２の回転ドラム２３のハンドル２３１を握って回す。この際、最初にリセット用センサ２８がオンになり、リセット信号が抽選制御ユニット２１の抽選実行部２１１と、カード読み取り機３の読み取り制御部３４に送られる。読み取り制御部３４では、駆動機構３３２が動作して受け具３３１が後退し、抽選カード３０が回収される。また、状態判定回路の値は、“１”から“０”に変更される。
【００６３】
さらに回転ドラム２３が回転し、ほぼ一回転すると、回転センサ２７がオンになる。これにより、ドラム制御部２１３がブレーキユニット２６を動作させ、回転ドラム２３が停止させられる。それとともに、抽選実行部２１１において抽選が行われ、抽選結果が当たりであった場合、その抽選結果が抽選結果出力部２１２から景品払い出し制御ユニット４に出力される。
【００６４】
景品払い出し制御ユニット４は、モード制御部１５に無料モード切替信号を送り、通常モードから無料モードへの切り替えを行わせる。それとともに、無料カラム設定信号が送られ、無料カラム設定回路１５２での設定が行われる。例えば抽選結果が４等であった場合、最も安い商品のカラムを無料とするよう設定が行われる。
モード制御部１５の動作により、自販機１では、無料カラム設定回路１５２で無料とされたカラムに対応した商品選択ボタン１２２のランプが点灯する。抽選参加者は、点灯している商品選択ボタン１２２のうち任意の商品のものを押す。これにより当該商品が払い出され、景品として無料提供を受ける。
【００６５】
商品の払い出しに伴い、自販機制御ユニット１３のカウンタ端子１３２において１が加算される。これにより、景品払い出し制御ユニット４は、モード制御部１５に通常モード復帰信号を送り、通常モードへの切り替えを行わせる。これにより、景品提供装置の一連の動作が終了する。
上記のような景品提供装置の動作が繰り返されると、カード読み取り機３のカード回収部３６には、使用された抽選カード３０が多数溜まっていく。ある程度の数の抽選カード３０が溜まると、係員が不図示の鍵穴に鍵を差し込んで開閉扉３６１を開け、抽選カード３０を回収する。そして、再び顧客に提供して販売促進の一助とする（即ち、再利用する）。
【００６６】
尚、多数の抽選参加者が抽選カード３０を持参して一度に景品提供装置の所に来た場合、列を作って順番待ちになることも想定される。この場合、最初の参加者が抽選カード３０を挿入した後、続いて次の参加者が抽選カード３０を挿入しようとしてしまうことが想定され、場合によって、最初の抽選カード３０による抽選が行われた後に、抽選結果に従った景品の払い出しが終了していないうちに次の抽選が行われて抽選結果が上書きされてしまうようなエラーが生じ得る。
【００６７】
しかしながら、実施形態の景品提供装置は、このようなことがないように配慮している。即ち、実施形態の景品提供装置では、最初の参加者が抽選カード３０を挿入して読み取りがされた後、回転ドラム２３を回してリセット用センサ２８がオンになるまで、カード読み取り機３の駆動機構３３２は動作せず、抽選カード３０は受け具３３１の上に載ったままである。リセット用センサ２８がオンになってから抽選カード３０は落下して回収される。この状態で初めて、次の抽選カード３０の挿入が可能になる。そして、抽選の結果、当たりであった場合、自販機１の状態が払い出しスタンバイ状態から定常状態に戻らない限り（景品の払い出しが完了しない限り）、次の抽選カード３０が読み取られていたとしても、読み取りＯＫ信号は抽選制御ユニット２２には出力されない。つまり、前の人の景品払い出しが完全に完了してからでないと、次の人の抽選カード３０が真正に読み取られたとしても抽選器２は使用できない。このため、抽選結果が上書きされてしまうような誤動作は発生せず、動作が混乱することはない。
【００６８】
尚、上記のように景品提供によるプロモーションを行った後、抽選器２及びカード読み取り機３は、設置されたままとされる場合もあるが、必要に応じて取り外され、撤去される。撤去後は、自販機１はそのまま残り、通常の自動販売機として利用される。また、撤去された抽選器２及びカード読み取り機３は、別のプロモーションのために他の場所に設置されている自販機１（他の商店街やデパート等に設置されている自販機１）に対して接続され、同様に景品提供装置を構成して利用される。このような取り外し及び再設置のため、筐体１１内において抽選制御ユニット２１や景品払い出し制御ユニット４は着脱容易な状態で取り付けられている。
【００６９】
上記構成及び動作に係る実施形態の景品提供装置によれば、自販機１を利用して景品提供がされるので、景品提供のために人員を配置したり、景品を置いておく特別の場所を用意したりする必要はない。自販機１は、通常の自動販売機として利用されているものであり、景品提供が完了した後は自動的に通常モードに復帰するので、オペレーション（運用）のために特段の操作は必要ない。景品提供のために追加される設備は、カード読み取り機３と抽選器２だけであり、必要な追加スペースは僅かである。したって、実施形態の景品提供装置は、景品提供に要する全体の人的コスト、設備コストが低く抑えられ、狭いスペースで行える極めて好適な販売促進策を可能にするものとなっている。
【００７０】
実施形態の景品提供装置で販売促進キャンペーンを行う場合、主催者は、キャンペーンを行う期間のみカード読み取り機３や抽選器２を借り受けてキャンペーンを行う期間のみ設置するだけで足り、極めて簡便である。コスト的には、抽選カード３０を用意するコスト及び景品のコストは発生するが、抽選カード３０は、上記のように回収されて再利用されるので、大きなコストはかからない。抽選カード３０の回収は係員が行う必要があるが、これは、場合によっては自販機業者のサービスマン（商品の補充や代金の回収を行うサービスマン）が行うことも可能である。このようにすれば、キャンペーンを行う側の人的コストは実質的にゼロである。
【００７１】
さらに、商店街やデパート等の施設は、自販機業者に対して自販機１の設置スペースを提供しており、自販機１の通常の営業（動作）について商品販売のマージンを受け取っている。この分を差し引くと、景品のコストも低く抑えられる。このように、実施形態の景品提供装置は、低コスト、省スペース、簡便なオペレーションで販売促進が行える極めて好適なものとなっている。
【００７２】
また、実施形態の景品提供装置は、単に自販機１の商品を景品として提供するのではなく、抽選器２による抽選の結果に従って景品が提供されるので、ゲーム性がある。その上、抽選器２が福引き器を模したものであるため、抽選参加者にとっては福引きを行って景品をもらっているような感覚となり、エンターテイメント性も兼ね備えたものとなっている。尚、臨場感を高めるための音声発生部２９としては、福引き器が操作された際の音声データを記憶した記憶媒体と、記憶媒体に記憶された音声データを再生するスピーカーとによって構成しても良い。また、抽選器２としては福引き器を模したもの以外でも良い。例えばスロットマシンのようなゲーム機を模した抽選器２とし、ゲームの結果が抽選結果とする構成が考えられる。この他、抽選ボタンを押すと抽選結果が表示されるような単純なものであっても良い。
【００７３】
尚、福引き器を模した抽選器２においては、回転ドラム２３が一回転した際に抽選実行部２１１で抽選が行われるが、一回転したことの検出は、上述した構成以外にも各種のものがあり得る。例えば、回転ドラム２３の軸にロータリーエンコーダーのような回転角度検出センサを設け、このセンサからの出力をモニタすることで一回転したことの検出をしても良い。また、回転ドラム２３が一回転した際にオンになるリミットスイッチのような機械的スイッチを設け、このスイッチを利用して抽選実行部２１１を制御する構成も考えられる。尚、回転ドラム２３が二回転（又はそれ以上）した場合に抽選が行われるよう構成することも考えられる。つまり、「一回転」とは、少なくとも一回転という意味である。
【００７４】
上述した実施形態の景品提供装置において、抽選結果については種々のものを設定し得る。上述した例は空くじ（外れ）がないものであったが、空くじがあっても良い。また、当たりの種類として、購入できる商品の範囲が１〜４等で異なるとしたが、購入できる商品の個数が異なるとしても良い。例えば、４等は１個、３等は２個、２等は３個、１等は４個という具合である。
【００７５】
賞によって個数が異なるようにする場合、景品払い出し制御ユニット４に、無料モードでの賞品の払い出し個数をカウントする手段を設ける。具体的には、無料モードに切り替えた後、自販機制御ユニット１３のカウンタ端子１３２の出力をモニタするようにし、無料モードに切り替えた後のカウンタの数が、当該賞で与えられた個数に達したかどうかを判断する回路を設ける。そして、当該個数に達するまで無料モードを維持し、個数に達した時点で通常モードに自動的に切り替えるようモード制御部１５に信号を出力する。
【００７６】
また、本願発明の実施に際して、抽選券読み取り機を備えることは必須条件ではなく、抽選券読み取り機が無くても実施が可能である。この場合、抽選券の確認用の人員が少なくとも一人配置され、参加者が持参した抽選券を係員が確認した上で抽選器２を使用させることになる。上記実施形態の景品提供装置は無人稼働させることも可能であるが、安全管理上の配慮や運営をスムーズにする等の配慮から係員を配置させる場合もあり、この場合には、特に抽選券読み取り機が設けられていなくても問題になることはない。その場合でも、抽選に基づく景品提供は自動化されるので、人的コスト抑制の効果は同様に得られる。
【００７７】
尚、上記実施形態では自販機１は清涼飲料の自動販売機であり、従って景品は清涼飲料であったが、自販機１は清涼飲料以外の飲料（例えばアルコール飲料）の自動販売機であっても良い。また、飲料以外の商品例えばお菓子のような食品の自動販売機であっても良く、おもちゃのような食品以外の商品の自動販売機であっても良い。
【００７８】
また、上記実施形態では、抽選券は抽選カード３０であったが、カード以外のものであっても良い。例えば、紙片であってバーコードやＱＲコード（登録商標）のようなコードが印刷されていて、それが情報担持部になっているものであっても良い。カードの場合でも、磁気的に読み取られるものであってもよく、ＩＣカードのように非接触で読み取るカードであっても良い。また、抽選券は専用コインであっても良く、専用コインを読み取る機械をカード読み取り機３の代わりに用いても良い。さらに、抽選券は、デジタルデータ自体の場合もあり、スマートフォンやタブレットＰＣのような携帯端末にダウンロードされて保存されているデジタルデータを画面に表示し、それを光学的な手段によって読み取ることで抽選の権利があることを確認しても良い。尚、抽選カード３０を光学的に読み取る構成については、本願の出願人が先に出願した特願２０１５−３６３９の明細書及び図面に開示された各構成を採用することも可能である。
【００７９】
上記実施形態の景品提供装置は、商店街やデパートのような物販系の施設における販売促進キャンペーンで使用される場合の他、ホテルや旅館、スポーツ施設、ゲームセンターといった有料サービスを提供する施設での販売促進（来場促進）のために使用することができる。また、コンサートやパーティ、その他の各種イベントにおいて実施形態の景品提供装置を使用することも可能である。例えばパーティの各参加者に抽選カード３０を配り、余興の一つとして抽選器２を使用して景品を当ててもらうことが想定される。
【００８０】
尚、抽選器２及びカード読み取り機３は取り外されて別の場所の自販機１に対して接続される（再利用される）と説明したが、これをより容易にする構成として、カード用看取り機３の読み取り制御部３４の出力回路３４４と抽選制御ユニット２１との間において無線通信（赤外線又はBluetooth等、Bluetoothは登録商標）を行う構成を採用したり、抽選制御ユニット２１の抽選結果出力部２１２と景品払い出し制御ユニット４との間で無線通信を行う構成を採用したりすると、配線の接続や撤去が省けるので、より好適である。
また、上記実施形態において、抽選の結果、当たりであることは自販機１の商品選択ボタンの点灯により確認できるが、抽選の結果を表示するディスプレイを別途設けても良い。もしくは、音声により抽選結果を知らせるようにすることもできる。
【符号の説明】
【００８１】
１  自動販売機
１１  筐体
１２  前面扉
１２２  商品選択ボタン
１３  自販機制御ユニット
１４  払い出し機構
１５  モード制御部
２  抽選器
２１  抽選制御ユニット
２１１  抽選実行部
２１２  抽選結果出力部
２１３  ドラム制御部
２２  ドラムユニット
２３  回転ドラム
２７  回転センサ
２９  音声発生部
３  カード読み取り機
３０  抽選カード
３１  ケーシング
３１０  カード挿入口
３２  読み取りセンサ
３２０  光軸
３２１  フォトセンサ
３３  ゲート部
３４  読み取り制御部
３６  カード回収部
３６１  開閉扉
４  景品払い出し制御ユニット
【要約】
【課題】  人的コストや場所のコストが抑制され、ゲーム性もあって非常に効果的な景品提供が行える景品提供装置を提供する。
【解決手段】  自動販売機１と、抽選器２と、景品払い出し制御ユニット４とを備えた景品提供装置であり、自販機制御ユニット１３は、通常モードと無料モードとを切り替えることが可能である。福引き器を模した抽選器２の抽選制御ユニット２１は、抽選実行部２１１で実行された抽選の結果が当たりの際に抽選結果を抽選結果出力部２１２から景品払い出し制御ユニット４に出力し、景品払い出し制御ユニット４は、自販機制御ユニット１３に対し通常モードから無料モードに切り替える信号を出力する。景品の払い出し後、景品払い出し制御ユニット４は、自販機制御ユニット１３に対し通常モードに切り替える信号を出力する。
【選択図】  図１【図１】
0005839380.tif 000002
【図２】
0005839380.tif 000003
【図３】
0005839380.tif 000004
【図４】
0005839380.tif 000005
【図５】
0005839380.tif 000006
【図６】
0005839380.tif 000007
【図７】
0005839380.tif 000008
【図８】
0005839380.tif 000009
【図９】
0005839380.tif 000010
【図１０】
0005839380.tif 000011